(57)【要約】
【課題】　　　花束と、線香やライタ等の小物類を隔てて収納し、且つ一体として持ち運ぶことを可能にする墓参り用袋体を提供する。
【解決手段】　上部側に設けられた手提部と、左右の両側に配置され、上部側に位置して設けられた花束を挿入するための花束挿入口から下方に至るに従って次第に狭くなるように形成された花束袋部と、そして、左右の花束袋部の間に位置し、底部に線香及びライタ等の小物類を出し入れするための開閉可能な開口部を備えた小物袋部と、を含んで構成されてなる。
【選択図】　　図１
0003100493.tif 000002
【実用新案登録請求の範囲】
【請求項１】
花束と、線香及びライタ等の小物類とを一まとめにして持ち運び可能に収納する墓参り用袋体であって、
　上部側に設けられた手提部と、
　左右の両側に配置され、上部側に位置して設けられた花束を挿入するための花束挿入口から下方に至るに従って次第に狭くなるように形成された花束袋部と、そして、
　左右の前記花束袋部の間に位置し、底部に線香及びライタ等の小物類を出し入れするための開閉可能な開口部を備えた小物袋部と、
　を含んで構成されてなる墓参り用袋体。
【請求項２】
請求項１に記載の墓参り用袋体において、
　前記墓参り用袋体は、一方側の側部に１又は２以上の係止部材を備えると共に、他方側の側部には当該係止部材に係止される１又は２以上の被係止部材を備えて構成され、
　左右の前記花束袋部同士が隣接するようにして折り返し、対応する前記係止部材と前記被係止部材とを係止させることによりその状態を保持し、それにより持ち運びを容易にすることを可能としたことを特徴とする墓参り用袋体。
【請求項３】
請求項１又は２に記載の墓参り用袋体において、
　前記小物袋部と二つの前記花束袋部とは互いに仕切られて形成されていることを特徴とする墓参り用袋体。
【請求項４】
請求項１又は２に記載の墓参り用袋体において、
　前記小物袋部の上部側は開口されていて、それにより前記小物類を前記小物袋部の上部側からも前記小物袋部へ出し入れ可能に形成されていることを特徴とする墓参り用袋体。
【請求項５】
請求項１〜４のいずれか一項に記載の墓参り用袋体において、
　前記墓参り用袋体は、当該墓参り用袋体を折り畳んでコンパクトに収納するための収納袋部を備えていることを特徴とする墓参り用袋体。
【請求項６】
請求項１〜５のいずれか一項に記載の墓参り用袋体において、
　前記花束袋部内部は撥水性の材料から作製され、且つ、
　前記花束袋部の内部には吸水性の吸水部材が着脱可能に配設され、これにより、挿入された花束から生じる水分が漏れ出ないようにされたことを特徴とする墓参り用袋体。
【請求項７】
請求項１〜５のいずれか一項に記載の墓参り用袋体において、
　前記花束袋部の内部は撥水性の材料から作製され、且つ、
　前記花束袋部の底部には一つ又は複数の孔が設けられると共に、当該孔を密閉するカバー部材を有し、前記花束より生じた水分であって前記花束袋部の底部に溜まった水分を排水可能とされたことを特徴とする墓参り用袋体。
【考案の詳細な説明】
【技術分野】
【０００１】
　本考案は、墓参する際に花束、線香及びライタ等の物品を一まとめに持ち運び可能にする墓参り用袋体に関し、より詳細には、花束と、線香及びライタ等の小物類を隔てて収納し、且つ一体として持ち運ぶことを可能にする墓参り用袋体に関する。
【背景技術】
【０００２】
　従来、一般家庭において墓参りに行く際、墓前に備える花をまとめた花束や、焼香するために必要な線香やライタ等を個別に持って行くことが行われている。そして、これらの花束、線香及びライタ等の物品は、両手に持ったり、個別に袋に収納したり、又は袋に無造作にまとめたりすることにより持参されている。
　しかし、このような方法では、物品を個別に持つことにより煩わしさがあったり、線香に花が触れて花の水分により線香が湿潤したりして不便なことがあった。
　そこで、これらの問題を解決するために、例えば次のような考案が成されている。
【０００３】
　まず、登録実用新案第３０４２３１６号公報（特許文献１を参照）に記載の考案は、水を入れる墓参り用手桶の開口部に、ローソク、線香、マッチ、数珠等の小物を入れる開口部の形状に合わせた小物入れを取り外し可能に備えてなる墓参り用手桶を提供する。これは、手桶本体にこれらの小物を入れた状態で持ち運ぶことができるというものである。
【０００４】
　次に、登録実用新案第３００３９４３号公報（特許文献２を参照）に記載の考案は、携帯用容器の中に、花切りはさみ、ろうそく立て、ろうそく、線香、ライタ等を収容する仕切りを設けた構造の墓参りセット容器を提供する。これは、墓参り用品が常に品ぞろえされている状態にしておくことができるというものである。
【０００５】
【特許文献１】登録実用新案第３０４２３１６号公報　（請求項１、図１）
【特許文献２】登録実用新案第３００３９４３号公報　（請求項１、図１）
【考案の開示】
【考案が解決しようとする課題】
【０００６】
　しかし、特許文献１に記載の考案は、手桶を保管しておく場所まではローソク、線香、マッチ、数珠等の小物を個別に持参しなければならないという問題がある。一般的に手桶は墓地近辺の寺等に保管している場合が多く、そこまでの道のりにおける線香及びライタ等の小物の持ち運びは、両手に持ったり、個別に袋に収納したりして行わなければならないという問題を特許文献１に記載の考案は解決していない。
【０００７】
　次に、特許文献２に記載の考案は、必要のない用品が墓参りセット容器に収められていても、一つのセットとして常に持ち運ばなければならず、不要なものまで墓地まで持参しなければならないという問題がある。さらに、墓参りが終わった後、例えば線香を消費し無くなっているにもかかわらず、その分の容積が墓参りセット容器から減らず、帰途において煩わしいという問題がある。
【０００８】
　また、特許文献１に記載の考案や特許文献２に記載の考案では、いずれも線香やライタといった物と花束を一まとめにして持ち運ぶことが出来ないという問題がある。
【０００９】
　そこで本考案が解決しようとする課題は、花束、線香及びライタ等の墓参に必要な物品を一まとめに持ち運び可能にする墓参り用袋体に関し、より詳細には、花束と、線香及びライタ等の小物類を隔てて収納し、且つ一体として持ち運ぶことを可能にする墓参り用袋体を提供することである。
【課題を解決するための手段】
【００１０】
　上記課題を解決するために、第一の本考案は、花束と、線香及びライタ等の小物類とを一まとめにして持ち運び可能に収納する墓参り用袋体であって、上部側に設けられた手提部と、左右の両側に配置され、上部側に位置して設けられた花束を挿入するための花束挿入口から下方に至るに従って次第に狭くなるように形成された花束袋部と、そして、左右の花束袋部の間に位置し、底部に線香及びライタ等の小物類を出し入れするための開閉可能な開口部を備えた小物袋部と、を含んで構成されてなる墓参り用袋体を提供する。
【００１１】
　上記課題を解決するために、第二の本考案は、上記第一の本考案において、墓参り用袋体は、一方側の側部に１又は２以上の係止部材を備えると共に、他方側の側部には係止部材に係止される１又は２以上の被係止部材を備えて構成され、左右の花束袋部同士が隣接するようにして折り返し、対応する係止部材と被係止部材とを係止させることによりその状態を保持し、それにより持ち運びを容易にすることを可能としたことを特徴とする。
【００１２】
　上記課題を解決するために、第三の本考案は、上記第一の本考案又は上記第二の本考案において、小物袋部と二つの花束袋部とは互いに仕切られて形成されていることを特徴とする。
【００１３】
　上記課題を解決するために、第四の本考案は、上記第一の本考案又は上記第二の本考案において、小物袋部の上部側は開口されていて、それにより小物類を小物袋部の上部側からも小物袋部へ出し入れ可能に形成されていることを特徴とする。
【００１４】
　上記課題を解決するために、第五の本考案は、上記第一の本考案から上記第四の本考案のいずれか一つの考案において、墓参り用袋体は、墓参り用袋体を折り畳んでコンパクトに収納するための収納袋部を備えていることを特徴とする。
【００１５】
　上記課題を解決するために、第六の本考案は、上記第一の本考案から上記第五の本考案のいずれか一つの考案において、花束袋部内部は撥水性の材料から作製され、且つ、花束袋部の内部には吸水性の吸水部材が着脱可能に配設され、これにより、挿入された花束から生じる水分が漏れ出ないようにされたことを特徴とする。
【００１６】
　上記課題を解決するために、第七の本考案は、上記第一の本考案から上記第五の本考案のいずれか一つの考案において、花束袋部の内部は撥水性の材料から作製され、且つ、花束袋部の底部には一つ又は複数の孔が設けられると共に、孔を密閉するカバー部材を有し、花束より生じた水分であって花束袋部の底部に溜まった水分を排水可能とされたことを特徴とする。
【考案の効果】
【００１７】
　本考案によれば、花束、線香及びライタ等の墓参に必要な物品を一まとめに持ち運ぶことが出来るようになる効果を有する。また、花束と、線香及びライタ等の小物類を隔てて収納し、且つ一体として持ち運ぶことが出来るようになる効果を有する。さらに、墓参り用袋体は袋であるため、墓参りの後はコンパクトにして不要になった墓参り用袋体を持ち帰ることにより、手軽に帰途に着くことが出来るようになる効果を有する。加えて、花束袋部と小物袋部とが一体となっているので、小物を入れ忘れても気づき易いという付随的な効果を有する。
【考案を実施するための最良の形態】
【００１８】
　以下、本考案に係る墓参り用袋体を図面に基づいて詳細に説明する。尚、図において、同一の符号は、同一のものを指し示す。
　図１は、本願考案に係る墓参り用袋体の一実施形態を示す概略図である。
　まず、本考案に係る墓参り用袋体１は、持ち運ぶための手提部１１と、一対の花束５１ａ、５１ｂを挿入する花束袋部１２ａ、１２ｂと、線香やライタ等の小物類を収納する小物袋部１３と、互いに対応する係止部材や被係止部材である紐１４ａ、１４ｂ及び、フック１５ａとリング１５ｂと、当該墓参り用袋体１を折り畳んで収納するための収納袋部１６と、を含んで構成されている。
　尚、図１では、墓参り用袋体１の花束袋部１２ａ、１２ｂに花束５１ａ、５１ｂを挿入し、且つ小物袋部１３に線香の束をまとめたボックス５２及びライタ５３を収納するところを示している。
【００１９】
　図２は、図１の墓参り用袋体１を、花束袋部１２ａと小物袋部１３の境界である境界線２１ａと、花束袋部１２ｂと小物袋部１３の境界である境界線２１ｂとでそれぞれ同一面側に折り返した状態を示している。そして、互いに対応する係止部材や被係止部材である紐１４ａと紐１４ｂ、及びフック１５ａとリング１５ｂとが係止される。
【００２０】
　墓参り用袋体１の全体は、花束や小物類からなる物品により破れない強度を有する素材から出来ている。また、花束は生花から出来ていても良いので、水分が花束から周囲に出ても、墓参り用袋体１に染み込まない素材で出来ている。具体的には、合成繊維により出来ている。しかし、本考案は、これらの素材に限定するものではなく、例えばビニール製の素材であってもよい。
【００２１】
　手提部１１は、手でつかんだり、腕を挿入したりして、墓参り用袋体１を持ち運ぶために設けられている。そして手提部１１は、手や腕を貫通して支持できるようになっている。図２の状態の墓参り用袋体１の手提部１１に腕１００を挿入し、持ち運ぶイメージ図を図３に示す。
【００２２】
　次に、花束袋部１２ａ、１２ｂは、花束をそれぞれ挿入するためのポケットである。花束袋部１２ａ、１２ｂは、花束挿入口２２ａ、２２ｂから下方に至るに従い次第に小さくなる形状をしている。この花束挿入口２２ａ、２２ｂとは、花束を挿入するための花束袋部１２ａ、１２ｂの入口の部分であり、図中では一点鎖線で示している。
【００２３】
　また、墓参り用袋体１は、花束５１ａ、５１ｂを墓参り用袋体１の花束袋部１２ａ、１２ｂに挿入可能にする出入口部１１ａ、１１ｂを上部に備えている。そして、これらは墓参り用袋体１の両側に設けられている。墓参り用袋体１では、出入口部１１ａ、１１ｂは、手提部１１と連通している。尚、本考案は、出入口部１１ａ、１１ｂと、手提部１１とが連通しないことを排除するものではない。連通しないようにする場合には、境を縫着等することにより行うことが出来る。また、用いる花束の大きさにより、適宜、花束袋部１２ａ、１２ｂの寸法、内容量の設計変更を行うことが出来、本考案はこれらを限定しない。
【００２４】
　次に、小物袋部１３は、線香やライタ等の小物類を出し入れ可能に収納する部分である。そして、図１の墓参り用袋体１では、ボックス５２及びライタ５３を出し入れするための開口部２３が底部に設けられている。その開口部２３は、ファスナ２３ａ、２３ｂにより開閉可能になっている。小物袋部１３の形状は、上方から下方に至るに従い、広くなる形状を成している。これは、花束袋部１２ａ、１２ｂが上方から下方に至るに従い小さくなる形状をしていることに対応している。
【００２５】
　小物袋部１３は、二つの花束袋部１２ａ、１２ｂに挟まれている。しかし、その小物袋部１３と花束袋部１２ａ、１２ｂは完全に異なる領域とされている。すなわち、小物袋部１３と二つの花束袋部１２ａ、１２ｂとは小物袋部１３の周囲に沿って仕切られ、墓参り用袋体１の内部で区切られる。これは、墓参り用袋体１では、境を縫着することにより行われている。縫うことにより、境界線２１ａ、２１ｂ、２１ｃが生じている。
【００２６】
　さらに、境界線２１ａ、２１ｂが生じることにより、これらの境界線２１ａ、２１ｂに従って、墓参り用袋体１を折り返すことが容易に出来る。そして、折り返した状態で墓参り用袋体１を持ち運び易くするために、紐等によりその状態が保持されることが望ましい。これを可能にするために、墓参り用袋体１には係止部材や被係止部材である紐１４ａ、１４ｂと、フック１５ａとリング１５ｂとを備えている。
【００２７】
　まず、互いに対応する係止部材や被係止部材である紐１４ａ、１４ｂは、互いに折り返した状態で結ばれて、係止される。そして、互いに対応する係止部材や被係止部材であるフック１５ａとリング１５ｂは、フック１５ａがリング１５ｂに引っ掛けることにより係止される。前記したように、図２では、紐１４ａと紐１４ｂが結ばれ、且つフック１５ａとリング１５ｂとが引っ掛けられ、折り返した状態が保持されている。
【００２８】
　次に、収納袋部１６は、墓参り用袋体１に一体として備え付けられている。そして、収納袋部１６により、墓参り用袋体１を折り畳んで収納することが出来る。墓参り用袋体１を折り畳んで収納袋部１６に収納する流れを、図４に示す。尚、収納袋部１６の周囲にはファスナ２６が設けられている。
【００２９】
　図４は、墓参り用袋体１を折り畳んで収納袋部１６に収納する流れの概略を模式的に示した流れ図である。
　まず、開いた状態である墓参り用袋体１の花束袋部１２ａ、１２ｂを収納袋部１６とは反対側に折り畳む（図４（ａ）参照）。次に、上部側の手提部１１や底部側を花束袋部１２ａ、１２ｂと同じ側に折り畳む（図４（ｂ）参照）。この図４（ａ）及び図４（ｂ）に示したことを行うことにより、墓参り用袋体１は、収納袋部１６の大きさよりも小さい大きさにまでコンパクトにすることが出来る。次に、このコンパクトな状態で、収納袋部１６を半分に折る（図４（ｃ）参照）。そして、最後に、収納袋部１６の周囲のファスナ２６を閉じることにより、収納袋部１６の中に墓参り用袋体１をコンパクトに収納することが行われる（図４（ｄ）参照）。
【００３０】
　以上の本考案に係る墓参り用袋体１により、花束、線香及びライタ等の墓参に必要な物品を一まとめにして、墓前まで至ることが出来るようになる。また、花束と、線香やライタ等の小物類を隔てて収納するため、花束が生花の場合でも花束の有する水分により小物類に含まれる線香等が変質することを防げる。さらに、墓前に赴くときには一体として複数のそのときに有用な物品を持ち運ぶことを可能にするが、帰途は不要になった墓参り用袋体１をコンパクトにまとめて最小限の手間と煩わしさの中で持ち運ぶことが出来るようになる。
【００３１】
　ところで、上記した本考案に係る墓参り用袋体１の手提部１１は、手でつかんだり、腕を挿入したりするために設けられていた。しかし、本考案は、これらに限定するものではない。例えば、手提部１１に各種の輪や棒を挿入し、これらに紐をつけることにより、肩にかけたり、背中に背負ったりすることも可能である。
【００３２】
　また、上記した本考案に係る墓参り用袋体１の小物袋部１３と二つの花束袋部１２ａ、１２ｂとは、小物袋部１３の周囲を完全に縫着することにより、それぞれ独立に仕切られている。つまり、境界線２１ａ、２１ｂ、２１ｃが生じている。しかし、本考案は、このように境界線２１ａ、２１ｂ、２１ｃの全てを縫着することに限定するものではない。
【００３３】
　図５の墓参り用袋体２では、境界線２１ａ、２１ｂを縫い、境界線２１ｃは縫っていない。これにより、花束袋部１２ａ、１２ｂと小物袋部１３とは墓参り用袋体２の内部でつながる。そして、線香やライタ等の小物類が出入口部１１ａ、１１ｂから小物袋部１３へ出し入れ可能になる。図５では、ボックス５２やライタ５３が出し入れ可能に描いている。
　尚、仕切る等するために縫着すると上記したが、縫着すること以外の手段により行っても良い。
【００３４】
　さらに、上記した本考案に係る墓参り用袋体１は、係止部材や被係止部材として、紐１４ａ、１４ｂ、フック１５ａとリング１５ｂが設けられている。すなわち、墓参り用袋体１の一方側の側部に係止部材を、そして他方側の側部に被係止部材を各々の側部の上部及び下部に対応付けて備えている。
【００３５】
　しかし、本考案は上部や下部の２箇所に限定するものではなく、１箇所でも３箇所以上でも良い。側部の上部にだけ係止部材や被係止部材である紐１４ａ、１４ｂが設けている本考案の他の一実施形態である墓参り用袋体３を図６に示す。墓参り用袋体３では、紐１４ａと紐１４ｂとは結ばれて係止されている。
　尚、係止部材や被係止部材として、紐と紐、フックとリングの他に、マジックテープやボタン等を用いることが出来る。
【００３６】
　一方、上記した墓参り用袋体１、２、３では、花束袋部１２ａ、１２ｂは花束を入れるポケットとしている。しかし、本考案は、花束袋部１２ａ、１２ｂの内部下部に吸水部材を敷いたり、又は、一又は複数の孔を設けることができる。
【００３７】
　吸水部材としては、スポンジ等を用いることができる。そして、吸水した後は、花束袋部１２ａ、１２ｂから取り外して乾燥させることが出来るように、取り外し可能であることが望ましい。
【００３８】
　また、花束袋部１２ａ、１２ｂの底部に孔を開けることにより、花束から漏れ出た水が持ち運び中に路面等に排水させることが出来るようになる。そのため、排水をし易く、且つ花束が落ちない限り、孔の大きさ及び数は任意に設定できる。
【００３９】
　さらに、花束袋部１２ａ、１２ｂの底部に一又は複数の孔を設ける場合には、この孔を密閉するカバー部材を備えるようにすることが出来る。このカバー部材により、花束袋部１２ａ、１２ｂの底部に溜まった水を場所を選び、排水することが出来るようになる。
【００４０】
　ところで、花束は生花でありうるので、水分が花束から周囲に出ても、墓参り用袋体１に染み込まない素材で出来ていることを上記した。しかし、花束袋部１２ａ、１２ｂの内部は、さらに撥水性の材料から出来ていることが望ましい。これにより、吸水部材に水分を集め易くすることが出来るようになる。または、底部の孔から排水し易くなる。尚、吸水部材を敷くことと、底部に孔を設けること等を組み合わせても良い。
【００４１】
　さらに、上記した墓参り用袋体１では、収納袋部１６が一体として備えられている。しかし、本考案は、分離独立して収納袋部１６を有することを排除するものではない。
【図面の簡単な説明】
【００４２】
【図１】本考案に係る墓参り用袋体の一実施形態を示す概略図である。
【図２】図１に示した墓参り用袋体において、両側を折り返した状態を係止部材及び被係止部材により保っていることを示す概略図である。
【図３】図２の状態の墓参り用袋体を持ち運ぶ状態を示すイメージ図である。
【図４】図１の墓参り用袋体を収納袋に収納する流れを（ａ）〜（ｄ）に順に模式的に示す流れ図である。
【図５】本考案に係る墓参り用袋体の他の一実施形態を示す概略図である。
【図６】本考案に係る墓参り用袋体のさらに他の一実施形態を示す概略図である。
【符号の説明】
【００４３】
１、２、３ 墓参り用袋体
１１　手提部　　　　　　　　１１ａ、１１ｂ　出入口部
１２ａ、１２ｂ　花束袋部　　２２ａ、２２ｂ　花束挿入口
１３　小物袋部　　　　　　　２３　開口部　　２３ａ、２３ｂ　ファスナ
１４ａ、１４ｂ　紐
１５ａ　フック　　　　　　　１５ｂ　リング
１６　収納袋部　　　　　　　２６　ファスナ
２１ａ、２１ｂ、２１ｃ　境界線
　　５１ａ、５１ｂ　花束　　　５２　ボックス　　　５３　ライタ
【図１】
0003100493.tif 000003
【図２】
0003100493.tif 000004
【図３】
0003100493.tif 000005
【図４】
0003100493.tif 000006
【図５】
0003100493.tif 000007
【図６】
0003100493.tif 000008